(57)【要約】【課題】現場で容易に組み立てて、水平方向回転軸にアームを連結させることのできるシャワー装置の提供。【解決手段】水平方向回転軸１６の左右両端に、散水ノズルを有するアームを設け、このアームを水平方向回転軸１６を介し上下方向に回動可能に構成してなるシャワー装置において、アームに固設した連結部材２０は、水平方向回転軸の外周に当接する上円筒状部２４を有しアームに固設される本体２１と、水平方向回転軸１６の外周に当接する下円筒状部２９ａを有する別体の挟圧部材２９で構成され、挟圧部材２９は、後端側に設けた鉤爪３０を本体２１の爪孔２５ａ内に掛止するとともに、前端側をボルト３３で本体２１に締付けることにより、水平方向回転軸１６に挟圧固定されるように構成する。【選択図】　　　　　　　　図７
2004089302.tif 000002
【特許請求の範囲】
【請求項１】
水平方向回転軸の左右両端に、散水ノズルを有するアームを設け、該アームを前記水平方向回転軸を介し上下方向に回動可能に構成してなるシャワー装置において、前記アームに固設した連結部材で、前記水平方向回転軸の外周を挟圧することにより、前記アームに加えられた回転力が前記水平方向回転軸に伝達されるように構成したことを特徴とするシャワー装置。
【請求項２】
前記連結部材は、前記水平方向回転軸の上部外周に当接する半円筒状の上円筒状部を有し前記アームに固設される本体と、前記水平方向回転軸の下部外周に当接する半円筒状の下円筒状部を有する別体の挟圧部材で構成され、
該挟圧部材は、後端側に設けた鉤爪を前記本体に掛止するとともに、前端側をボルトで前記本体に締付けることにより、前記水平方向回転軸に挟圧固定されることを特徴とする請求項１に記載のシャワー装置。
【請求項３】
前記水平方向回転軸には、切り欠き状に開口が形成されているとともに、前記連結部材には、水平方向回転軸の回転方向に対し垂直な面を有し前記開口に嵌合される突起が形成されていることを特徴とする請求項１または請求項２に記載のシャワー装置。
【請求項４】
前記連結部材には、前記水平方向回転軸内に通されたチューブを、前記アーム内へ導くためのチューブ通し用の開口が形成されていることを特徴とする請求項１または請求項２または請求項３に記載のシャワー装置。
【発明の詳細な説明】
【０００１】
【発明の属する技術分野】
この発明は、浴室内に設置されるシャワー装置に関するものである。
【０００２】
【従来の技術及び発明が解決しようとする課題】
従来、浴室内に設置されるシャワー装置は、水平方向回転軸の両端に上下方向に回動可能にアームが備えられ、このアームに複数の散水ノズルが設けられて、散水ノズルからシャワー水を噴出させ、全身にシャワー水を浴びることができるように構成されており、水平方向回転軸に対しアームがビスを介して固定される構造や、また、特開平１１−３１８７４１号公報に開示されているように、水平方向回転軸を連結部材の筒部と固定板で挟み、筒部の内面と水平方向回転軸の外周面を押圧接触させて連結させる構造のものがある。
【０００３】
しかし、従来のビスを用いたアームと水平方向回転軸の連結構造では、ビス用の下孔を形成させておく必要があり、ガタつきが生じ易く、また、ビスに剪断応力が掛かり故障し易いという問題点があり、また、前述した特開平１１−３１８７４１号公報の構造では、水平方向回転軸の軸内の断面積が小さくなるため、水平方向回転軸内に水路を形成するチューブを取り回しにくくなり、またネジで締付ける際のネジ孔の位置が確認しづらく、組み立てに手間が掛かるという問題点があり、更に、ネジに剪断応力が掛かり、故障し易いという問題点があった。
【０００４】
【課題を解決するための手段】
本発明は、上記従来の問題点に鑑み案出したものであって、組み付けが簡単で、ガタつきを無くすことができ、しかも連結強度が高くなる、アームと水平方向回転軸の接続構造を備えたシャワー装置を提供せんことを目的とし、その第１の要旨は、水平方向回転軸の左右両端に、散水ノズルを有するアームを設け、該アームを前記水平方向回転軸を介し上下方向に回動可能に構成してなるシャワー装置において、前記アームに固設した連結部材で、前記水平方向回転軸の外周を挟圧することにより、前記アームに加えられた回転力が前記水平方向回転軸に伝達されるように構成したことである。
【０００５】
また、第２の要旨は、前記連結部材は、前記水平方向回転軸の上部外周に当接する半円筒状の上円筒状部を有し前記アームに固設される本体と、前記水平方向回転軸の下部外周に当接する半円筒状の下円筒状部を有する別体の挟圧部材で構成され、該挟圧部材は、後端側に設けた鉤爪を前記本体に掛止するとともに、前端側をボルトで前記本体に締付けることにより、前記水平方向回転軸に挟圧固定されることである。
【０００６】
また、第３の要旨は、前記水平方向回転軸には、切り欠き状に開口が形成されているとともに、前記連結部材には、水平方向回転軸の回転方向に対し垂直な面を有し前記開口に嵌合される突起が形成されていることである。
【０００７】
また、第４の要旨は、前記連結部材には、前記水平方向回転軸内に通されたチューブを、前記アーム内へ導くためのチューブ通し用の開口が形成されていることである。
【０００８】
【発明の実施の形態】
以下、本発明の実施例を図面に基づいて説明する。
図１は、浴室内に設置されたシャワー装置の収納状態の斜視構成図であり、また図２は、使用状態の側面構成図である。
【０００９】
図において、シャワー装置１は、水栓金具を内装した水栓金具部６の前面に、温度調節ハンドル２，シャワー開閉ハンドル３，切替開閉ハンドル４が設けられており、中央部には下向きに吐水口５が設けられている。
この水栓金具部６の左右両側から、それぞれ左下アーム７、及び右下アーム８が下方へ垂設され、この左右の下アーム７，８は浴室の壁面Ｗに固定状に取り付けられており、下アーム７，８間の下方側には洗面器台９が壁面Ｗに固設されている。
【００１０】
また、水栓金具部６の上方には、左右に左上アーム１０と右上アーム１１がそれぞれ上下方向に回動可能に設けられて、壁面Ｗに添うように立設させて収納できるように構成されており、左上アーム１０と右上アーム１１間の壁面Ｗに、鏡１２が配置されている。
なお、４本のアーム７，８，１０，１１には、それぞれ複数の散水ノズル１３，１３，１３が設けられており、各散水ノズル１３，１３，１３からシャワー水を噴出させることができるように構成されている。
【００１１】
図１の収納状態から、図２のように、左上アーム１０及び右上アーム１１を使用者が下方側へ回転させ、自分の体型，姿勢に合わせて任意の位置に保持させて、散水ノズル１３，１３，１３からシャワー水を噴出させて使用することができるものである。
【００１２】
カバー材１４を取り外した図３の斜視図で示すように、左上アーム１０，右上アーム１１を任意の位置で静止させるために、摩擦機構１７とアシストバネ（弾性手段）１８が設けられている。
即ち、カバー材１４内には、水平方向回転軸１６が横設されており、この水平方向回転軸１６の左右両端側に左上アーム１０、及び右上アーム１１の下端が連結されたものとなっており、この水平方向回転軸１６は、壁面Ｗに固定されたフレーム１５に回転可能に設けられて、水平方向回転軸１６に、摩擦機構１７とアシストバネ１８が取り付けられている。
【００１３】
前述したように、水平方向回転軸１６の両端には、左上アーム１０と右上アーム１１のそれぞれの下端が接続されているが、その接続構造を以下に説明する。
図４では、水平方向回転軸１６と右上アーム１１の接続部分を分解拡大図で示しており、壁面Ｗに固定されるフレーム１５の左右両端には、軸受部１５ａが形成されており、この軸受部１５ａ内に水平方向回転軸１６が回転可能に支持され、水平方向回転軸１６の先端側には、切り欠き状に開口１６ａが形成されている。
また、右上アーム１１は、表カバー１１ａが裏カバー１１ｂに覆設されて構成されたものであり、表カバー１１ａには散水ノズル１３を通すためのノズル孔１１ｃが形成されている。
【００１４】
裏カバー１１ｂには、散水ノズル１３が取り付けられるとともに、裏カバー１１ｂの下端側には、連結部材２０がネジ３７を介して固定されている。
連結部材２０は、本体２１と、別体の着脱可能な挟圧部材２９で構成されており、挟圧部材２９は、本体２１の下面に、鉤爪３０，３０を掛止した状態で、ボルト３３，３３を締付けて取り付けることができ、ボルト３３，３３を締付けることにより、挟圧部材２９が本体２１の下面側に押圧されて、水平方向回転軸１６の外周を締付けることができるものであり、図５には、本体２１の下面にボルト３３，３３を介して挟圧部材２９を取り付けた状態の連結部材２０の全体図を示す。
【００１５】
また、図６では、連結部材２０の分解斜視図を示しており、更に図７では、連結部材の分解状態の下方側から見上げた斜視図を示しており、また図８では、本体２１に挟圧部材２９を取り付けた状態の下側から見上げた斜視図を示している。
更に、図９では、本体２１の下面に挟圧部材２９を取り付けた状態の側面構成図を示している。
【００１６】
図において連結部材２０を詳細に説明すると、連結部材２０の本体２１は、背板部２１ａの下端に連続して下方側へ向かって垂下片部２１ｂが形成されており、この垂下片部２１ｂの下端、及び背板部２１ａの上端部には、それぞれネジ３７を差し込むためのネジ用孔２２，２２，２２，２２が形成されている。
背板部２１ａの左右両端には、前方側へ折り曲げて側板部２１ｃ，２１ｃが一体形成されており、この左右側の各側板部２１ｃの下部は、前方側へ三角形状に傾斜して突出し、下端側には更に前方側へ延びて腕片２１ｄが一体形成されており、左右の腕片２１ｄ，２１ｄ間に、補強板部２１ｅが溶接されて補強されている。
また、左右の腕片２１ｄ，２１ｄの後部下方側には、側板部２１ｃ，２１ｃの下端側から連続して突出する突起２３，２３が左右に形成されている。
【００１７】
左右の側板部２１ｃ，２１ｃの下端には、上円筒状部２４が溶接で固定されるものであり、この上円筒状部２４は、水平方向回転軸１６の上部外周に当接することのできる半円筒状に湾曲形成されている。
この上円筒状部２４には、上下に貫通して開口２４ａが形成されており、この開口２４ａ内には、前述した左右の突起２３，２３を垂直に差し込むことができるものである。なお、この開口２４ａは、水平方向回転軸１６の開口１６ａと整合されるものであり、開口１６ａと同等寸法となっている。
【００１８】
上円筒状部２４の後端から、略水平状に後方へ延びて後方水平片２５が一体形成され、また上円筒状部２４の前端から、略水平状に前方側へ一体状に延びて前方水平片２６が形成されており、この前方水平片２６には、ボルト３３，３３を螺合させて締付けることのできるネジ孔２６ａ，２６ａが設けられている。また、後方水平片２５には、横長状に２個の爪孔２５ａ，２５ａが上下に貫通形成されている。
後方水平片２５の側部及び後部には、一体状に立ち上げて溶接片２７が形成されており、前方水平片２６の左右側部にも、立ち上げて溶接片２７が一体形成されている。この各溶接片２７，２７は、左右の側板部２１ｃ，２１ｃ間に下方側から差し込まれて、側板部２１ｃの下端、及び腕片２１ｄに溶接で固定されて一体化されるものである。
なお、本体２１の構成部材は、板金をプレスして成形することができるものである。
【００１９】
また、挟圧部材２９も板金で成形されており、上円筒状部２４に対向する形状に下側へ湾曲した半円筒状の下円筒状部２９ａが形成されており、この下円筒状部２９ａは、水平方向回転軸１６の下部外周に当接できるものである。
下円筒状部２９ａの後端には、後方側へ略水平に延びて後方片２９ｂが一体形成され、また下円筒状部２９ａの前端には、前方側へ略水平に延びて前方片２９ｃが一体形成されている。前方片２９ｃには、ボルト３３，３３を通すためのボルト孔３１，３１が貫通形成されている。また、後方片２９ｂの後端には、下方側へ垂直に折り曲げて、それぞれ左右に鉤爪３０，３０が一体形成されている。この左右の鉤爪３０，３０は、前述した本体２１の爪孔２５ａ，２５ａ内に係合させて掛止できるものである。
【００２０】
なお、水平方向回転軸１６内には、水路を形成するチューブ３５が通され、このチューブ３５は前述した水栓金具部６に連通されて、水栓金具部６から水がチューブ３５内を通り、アーム１０，１１のそれぞれの散水ノズル１３に供給されるものであり、チューブ３５は、水平方向回転軸１６内からアーム１０及び１１内に連続して通す必要があり、そのため本体２１には、前述した開口２４ａが形成されており、水平方向回転軸１６の開口１６ａおよび開口２４ａ内を通してチューブ３５をアーム１０，１１内に上昇させることができるように構成されている。
【００２１】
図４及び図７に示す分解した状態で、水平方向回転軸１６の開口１６ａと、連結部材の本体２１の開口２４ａを整合させて、水平方向回転軸１６の上部外周に上円筒状部２４を当接させ、本体２１に対し下方側から挟圧部材２９を締付けてゆくのであるが、この時に、挟圧部材２９の後方片２９ｂを下方側から開口２４ａ内に入れて、後方片２９ｂを本体２１の後方水平片２５上に重ね合わせ、挟圧部材２９の鉤爪３０，３０を、本体２１の爪孔２５ａ，２５ａ内に上方から差し込んで掛止させ、その状態で挟圧部材２９の下円筒状部２９ａを水平方向回転軸１６の下部外周に当接させて、挟圧部材２９のボルト孔３１，３１にそれぞれワッシャー３２を介在させてボルト３３を通し、ボルト３３，３３をそれぞれ本体２１のネジ孔２６ａ，２６ａに締付けてゆくことができ、ボルト３３，３３を締付けることにより、水平方向回転軸１６の外周は、本体２１の上円筒状部２４と挟圧部材２９の下円筒状部２９ａにより挟圧されることとなる。
【００２２】
この場合、水平方向回転軸１６の開口１６ａ内には、本体２１の左右の突起２３，２３が垂直に差し込まれて嵌合され、良好に位置決めがなされるとともに、水平方向回転軸１６は突起２３，２３により回り止めされた状態となる。即ち、水平方向回転軸１６の回転方向に対し垂直な面を有する左右の突起２３，２３が開口１６ａ内に嵌合されるため、強固に回り止めされた状態となり、また、ボルト３３を強固に締付けた場合でも、突起２３，２３が開口１６ａ内に嵌合されていることにより、水平方向回転軸１６の開口１６ａ付近が縮径することが良好に防がれ、接合強度が確保されるものである。
【００２３】
このように組み付け時の位置決めも容易なものとなり、本体２１の下方側から挟圧部材２９の鉤爪３０，３０を、爪孔２５ａ内に掛止させて、前部をボルト３３で締付けてゆくことができ、ボルト３３は通常の工具により締付け作業することができ、組み付けの作業を良好に行うことができ、ガタつくことなく、水平方向回転軸１６に連結部材２０を連結固定させることができるものとなる。
その連結状態において、水平方向回転軸１６内に通されたチューブ３５は、良好に水平方向回転軸１６の開口１６ａから連結部材２０の開口２４ａを通して、アーム１１内に導くことができるものである。
【００２４】
【発明の効果】
本発明は、水平方向回転軸の左右両端に、散水ノズルを有するアームを設け、アームを水平方向回転軸を介し上下方向に回動可能に構成してなるシャワー装置において、アームに固設した連結部材で、水平方向回転軸の外周を挟圧することにより、アームに加えられた回転力が水平方向回転軸に伝達されるように構成したことにより、連結部材を介し、水平方向回転軸とアームをガタつくことなく接続することができ、組み付けを簡単に行うことができるものとなる。
【００２５】
また、連結部材は、水平方向回転軸の上部外周に当接する半円筒状の上円筒状部を有しアームに固設される本体と、水平方向回転軸の下部外周に当接する半円筒状の下円筒状部を有する別体の挟圧部材で構成され、挟圧部材は、後端側に設けた鉤爪を本体に掛止するとともに、前端側をボルトで本体に締付けることにより、水平方向回転軸に挟圧固定されるため、現場で一般的な工具を用いて容易に組み付けることができ、搬送の際は分解して省スペース化が可能となり、現場では鉤爪を本体に掛止した状態でボルトを締付けてゆくことができ、組み付けが簡単に行え、また接続強度を高めることができるものとなる。
【００２６】
また、水平方向回転軸には切り欠き状に開口が形成されているとともに、連結部材には、水平方向回転軸の回転方向に対し垂直な面を有し開口に嵌合される突起が形成されていることにより、垂直面を持つ突起が水平方向回転軸の開口内に嵌合することによって、連結部材と水平方向回転軸の位置決めが容易にでき、水平方向回転軸は突起により回り止めされた状態となり、ボルトで締付けてゆく際にも、水平方向回転軸の変形を防いで、強固な接合状態を確保することができるものとなる。
【００２７】
また、連結部材には、水平方向回転軸内に通されたチューブを、アーム内へ導くためのチューブ通し用の開口が形成されていることにより、連結部材内に良好にチューブを通して、チューブをアーム内に導くことができ、省スペース化が可能となる効果を有する。
【図面の簡単な説明】
【図１】シャワー装置の収納状態の斜視構成図である。
【図２】アームを倒した使用状態のシャワー装置の側面構成図である。
【図３】シャワー装置のカバーを外して水平方向回転軸の周辺を露出させた状態の斜視構成図である。
【図４】水平方向回転軸とアームの連結部の分解斜視構成図である。
【図５】連結部材の組立状態の斜視構成図である。
【図６】連結部材を一体化する前の構成部材の分解図である。
【図７】連結部材を下方から見上げた状態の分解斜視構成図である。
【図８】連結部材の組付状態の下方側から見上げた斜視構成図である。
【図９】組付状態の連結部材の側面概略構成図である。
【符号の説明】
１　　シャワー装置
６　　水栓金具部
１０　　左上アーム
１１　　右上アーム
１１ａ　　表カバー
１１ｂ　　裏カバー
１３　　散水ノズル
１５　　フレーム
１５ａ　　軸受部
１６　　水平方向回転軸
１６ａ　　開口
２０　　連結部材
２１　　本体
２１ａ　　背板部
２１ｂ　　垂下片部
２１ｃ　　側板部
２１ｄ　　腕片
２１ｅ　　補強板部
２２　　ネジ用孔
２３　　突起
２４　　上円筒状部
２４ａ　　開口
２５　　後方水平片
２５ａ　　爪孔
２６　　前方水平片
２６ａ　　ネジ孔
２７　　溶接片
２９　　挟圧部材
２９ａ　　下円筒状部
２９ｂ　　後方片
２９ｃ　　前方片
３０　　鉤爪
３１　　ボルト孔
３３　　ボルト
３５　　チューブ
３７　　ネジ
【図１】
2004089302.tif 000003
【図２】
2004089302.tif 000004
【図３】
2004089302.tif 000005
【図４】
2004089302.tif 000006
【図５】
2004089302.tif 000007
【図６】
2004089302.tif 000008
【図７】
2004089302.tif 000009
【図８】
2004089302.tif 000010
【図９】
2004089302.tif 000011